(57)【要約】【課題】電動卓上クリーナにおいて、排気を実質的に零にする合理的手段の提供。【解決手段】吸引室８におけるファン４の下方には上側吸引口８ｃが形成され、吸引室８の側部８ａには排気口８ｄが形成され、吸引室８の下部８ｂにおける上側吸引口８ｃと排気口８ｄとの間には貯留空間６ａに通じる前記清掃対象物の落下口８ｅが形成されている。底部構成体６における上側吸引口８ｃの下方には清掃対象物の下側吸引口６ｂが形成され、この下側吸引口６ｂと底部構成体６の側部６ｃとの間が前記貯留空間６ａとなっている。環流用カバー７により排気口８ｄから送り出されたエアを環流空間７ａを通じて下側吸引口６ｂ側に案内するようになっていると共に、環流用カバー７及び底部構成体６を取り外し可能にしてなる。【選択図】図１
2019198387.tif 000002
【特許請求の範囲】
【請求項１】
モータにより駆動されるファンを納めてなる清掃対象物の吸引室と、
前記吸引室の下方に前記清掃対象物をためる貯留空間を形成する底部構成体と、
前記吸引室の側部及び前記底部構成体の側部との間にエアの環流空間を形成する環流用カバーとを備えており、
前記吸引室における前記ファンの下方には上側吸引口が形成され、前記吸引室の側部には排気口が形成され、前記吸引室の下部における前記上側吸引口と前記排気口との間には前記貯留空間に通じる前記清掃対象物の落下口が形成されており、
前記底部構成体における前記上側吸引口の下方には前記清掃対象物の下側吸引口が形成され、この下側吸引口と前記底部構成体の側部との間が前記貯留空間となっており、
前記環流用カバーにより前記排気口から送り出されたエアを前記環流空間を通じて前記下側吸引口側に案内するようになっていると共に、
前記環流用カバー及び前記底部構成体を取り外し可能にしてなる、電動卓上クリーナ。
【発明の詳細な説明】
【技術分野】
【０００１】
この発明は、モータにより駆動されるファンを内蔵しており、このファンの駆動により、クリーナの底部側より清掃対象物を吸引しクリーナの内部にためるようにした電動卓上クリーナの改良に関する。
【背景技術】
【０００２】
卓上クリーナ（卓上掃除機）において、内蔵された吸気用のファンにより生成される排気の排気口を卓上クリーナの側面に設けた場合の不具合、上面に設けた場合の不具合を共に解消するために、排気口を側面に設けながら、風向制御壁により側方に吹き出させないようにしたものとして、特許文献１に示されるものがある。
【先行技術文献】
【特許文献】
【０００３】
【特許文献１】実用新案登録第３１９９１６３号公報
【発明の概要】
【発明が解決しようとする課題】
【０００４】
この発明が解決しようとする主たる問題点は、この種の電動卓上クリーナにおいて、排気を実質的に零にする合理的手段の提供にある。
【課題を解決するための手段】
【０００５】
前記課題を解決するために、この発明にあっては、電動卓上クリーナを、モータにより駆動されるファンを納めてなる清掃対象物の吸引室と、
前記吸引室の下方に前記清掃対象物をためる貯留空間を形成する底部構成体と、
前記吸引室の側部及び前記底部構成体の側部との間にエアの環流空間を形成する環流用カバーとを備えており、
前記吸引室における前記ファンの下方には上側吸引口が形成され、前記吸引室の側部には排気口が形成され、前記吸引室の下部における前記上側吸引口と前記排気口との間には前記貯留空間に通じる前記清掃対象物の落下口が形成されており、
前記底部構成体における前記上側吸引口の下方には前記清掃対象物の下側吸引口が形成され、この下側吸引口と前記底部構成体の側部との間が前記貯留空間となっており、
前記環流用カバーにより前記排気口から送り出されたエアを前記環流空間を通じて前記下側吸引口側に案内するようになっていると共に、
前記環流用カバー及び前記底部構成体を取り外し可能にしてなる、ものとした。
【０００６】
クリーナの稼働時には、下側吸引口を一次側とし、上側吸引口と吸引室を通じて、排気口を二次側としたエアの流れが形成されることとなる。それと共に、排気口から送り出されたエアの大部分は前記環流空間を通じて再び前記下側吸引口より吸引され循環されるようになる。この結果、クリーナの稼働時に、この稼働に起因したエアの吹き出しを、クリーナの周囲に生じさせることがない。すなわち、この実施の形態にかかるクリーナにあっては、その稼働時に、クリーナの側方のみならず上方にも下方にもこの稼働に起因したエアの吹き出しを生じさせることがない。
【発明の効果】
【０００７】
この発明によれば、この種の電動卓上クリーナにおいて、構造の複雑化を招くことなく且つ合理的に、清掃対象物の吸引に起因して生じる排気を実質的に零にすることができる。
【図面の簡単な説明】
【０００８】
【図１】図１は、この発明の一実施の形態にかかるクリーナの断面構成図である。
【図２】図２は、前記クリーナの要部分離斜視構成図である。
【図３】図３は、前記クリーナの要部分離斜視構成図である。
【図４】図３は、前記クリーナの要部分離斜視構成図である。
【発明を実施するための形態】
【０００９】
以下、図１〜図４に基づいて、この発明の典型的な実施の形態について、説明する。この実施の形態にかかる電動卓上クリーナ１は、モータ２により駆動されるファン４を内蔵しており、このファン４の駆動により、クリーナ１の底部１ａ側より清掃対象物を吸引しクリーナ１の内部にためるようにしたものである。クリーナ１の内部にためられた清掃対象物は、クリーナ１の主体部５から後述の環流用カバー７を取り外すことで取り外し可能になる後述の底部構成体６を取り外すことでクリーナ１内から取り除き可能となる。
【００１０】
前記クリーナ１は、主体部５と、底部構成体６と、環流用カバー７を備えてなる。
【００１１】
主体部５は、モータ２により駆動されるファン４を納めてなる清掃対象物の吸引室８を有している。
【００１２】
図示の例では、主体部５は、クリーナ１の頂部１ｂから底部１ａ側に向けて全高の実質的に３分の２の範囲を占めるパワーユニット収納部９の下方に前記吸引室８を形成させてなる。
【００１３】
図示の例では、パワーユニット収納部９には、筒軸を垂直に配した筒状ケーシング１０内にモータ２と、このモータ２の電源となる乾電池３と、乾電池３の電力によってモータ２を駆動するための回路（図示は省略する）とが納められており、また、前記回路を構成するスイッチ（図示は省略する）が備えられる。図示の例では、筒状ケーシング１０の下部の中央から下方に向けて前記モータ２の回転軸２ａを突き出させるように筒状ケーシング１０内にモータ２が配されている。乾電池３は、モータ２の上側に納められるようになっている。乾電池３は、筒状ケーシング１０を構成する図中符号１１で示されるフードをモータ２および乾電池３のマウント側から取り外すことで交換可能になっている。
【００１４】
吸引室８は、前記筒状ケーシング１０の外径よりやや外径を小さくする仮想の円筒に倣うように形成された側部８ａと、この側部８ａにより囲繞された空間の下方を後述の上側吸引口８ｃと落下口８ｅとなる箇所を除き閉塞する下部８ｂとを備えてなる。筒状ケーシング１０の下部１０ａと吸引室８の側部８ａと吸引室８の下部８ｂとに囲まれた空間が吸引室８として機能するようになっている。
【００１５】
上側吸引口８ｃは吸引室８の下部８ｂの中央に形成されている。ファン４は、前記モータ２の回転軸２ａに組み合わされて前記吸引室８内に配されており、モータ２の駆動により回転して上側吸引口８ｃの下方にある清掃対象物（典型的には、デスク上の消しゴムのカス、塵埃など）を吸引室８内に吸い上げるエアの流れを生成するようになっている。
【００１６】
吸引室８の側部８ａには、前記ファン４の回転中心（前記回転軸２ａ）を周回する方向において、隣り合う排気口８ｄとの間に間隔を開けて、複数の窓状をなす排気口８ｄが形成されている。
【００１７】
また、吸引室８の下部８ｂにおける前記上側吸引口８ｃと前記排気口８ｄとの間には後述の貯留空間６ａに通じる前記清掃対象物の複数の落下口８ｅが、前記ファン４の回転中心を周回する方向において隣り合う落下口８ｅとの間に間隔を開けて形成されている。
【００１８】
これにより、前記ファン４の回転により上側吸引口８ｃから排気口８ｄに向けたエアの流れがファン４の回転中心を巡る各位置において生じるようになっていると共に、吸い上げられた清掃対象物は吸引室８からエアが排気される前に落下口８ｅから後述の貯留空間６ａに落下するようになっている。
【００１９】
図示の例では、吸引室８は、図中符号８ｆで示す内側パーツと、符号８ｇで示す外側パーツとを組み合わせることで形成されている。内側パーツ８ｆには前記排気口８ｄからの清掃対象物の流出を防ぐフィルタ８ｈが備えられている。前記筒状ケーシング１０には外側パーツ８ｇをもって一体化されている。外側パーツ８ｇには、吸引室８の下部８ｂから下方に突き出すと共に、前記上側吸引口８ｃを囲繞する短寸筒状部８ｉが形成されている。
【００２０】
底部構成体６は、前記吸引室８の下方に前記清掃対象物をためる貯留空間６ａを形成する。前記底部構成体６における前記上側吸引口８ｃの下方には前記清掃対象物の下側吸引口６ｂが形成され、この下側吸引口６ｂと前記底部構成体６の側部６ｃとの間が前記貯留空間６ａとなっている。
【００２１】
図示の例では、底部構成体６は、円板状体６ｄの中央に前記下側吸引口６ｂを形成すると共に、この円板状体６ｄの縁部に上側に向けて突き出す周回立ち上がり部６ｅを形成させてなる。この周回立ち上がり部６ｅによって底部構成体６の側部６ｃが形成されている。円板状体６ｄの上面には前記下側吸引口６ｂを囲繞する短寸筒状部６ｆが形成されており、図示の例では、吸引室８の下部８ｂの短寸筒状部８ｉの内側に円板状体６ｄの短寸筒状部６ｆをはめ込むようにして主体部５と底部構成体６とが組み合わされるようになっている。図中符号６ｇで示すのは、底部構成体６の下面に形成されたブラシ部であり、このブラシ部６ｇにより底部構成体６の下面６ｉと清掃面Ｄとの間に隙間が形成されると共に、清掃面Ｄをこすることができるようにしてある。
【００２２】
底部構成体６の側部６ｃの内径は、主体部５の吸引室８の側部８ａの外径と実質的に等しくなるようにしてある。それと共に、底部構成体６の側部６ｃの内側には、吸引室８の側部８ａの外側に形成された係合溝８ｊに係合される係合爪６ｈが形成されている。図示の例では、係合爪６ｈは底部構成体６の下側吸引口６ｂを挟んだ両側にそれぞれ形成されており、吸引室８の係合溝８ｊもこれに対応した二カ所に形成されている。係合溝８ｊは、前記ファン４の回転中心を周回する方向に延びる。係合溝８ｊの一方の端末８ｋは閉塞されているが、係合溝８ｊの他方の端末８ｍは下方に向けて開放されている。図示の例では、係合溝８ｊの開放された他方の端末８ｍを利用して係合溝８ｊ内に係合爪６ｈを導入した後、係合爪６ｈを係合溝８ｊの一方の端末８ｋ側に移動させるように底部構成体６を回すことで主体部５に底部構成体６を取り外し可能に取り付けることができるようになっている。このように底部構成体６が主体部５に取り付けられた状態で吸引室８の下部８ｂと底部構成体６の円板状体６ｄの上面との間に形成される空間が前記貯留空間６ａとして機能するようになっている。
【００２３】
環流用カバー７は、前記吸引室８の側部８ａ及び前記底部構成体６の側部６ｃとの間にエアの環流空間７ａを形成する。この環流用カバー７により前記排気口８ｄから送り出されたエアを前記環流空間７ａを通じて前記下側吸引口６ｂ側に案内するようになっている。
【００２４】
環流用カバー７は、クリーナ１の底部１ａから頂部１ｂ側に向けて全高の実質的に３分の１の範囲を占める円筒状を呈している。環流用カバー７の筒上端７ｄの外径は主体部５の筒状ケーシング１０の外径と略等しく、その一方で、環流用カバー７の内径は吸引室８の側部８ａの外径及び底部構成体６の側部６ｃの外径よりもやや大きくなっている。また、環流用カバー７の筒下端７ｅには周回内鍔部７ｂが形成され、環流カバーの筒下端７ｅの開口径は底部構成体６の外径よりも小さいが、下側吸引口６ｂの径よりも大きく、環流用カバー７の筒下端７ｅの開口内に吸引口６ｂが位置するようになっている。環流用カバー７の筒側部７ｃと周回内鍔部７ｂとはアール状の断面をもって連続するように形成され、前記底部構成体６の側部６ｃと下面６ｉとの間もこれに対応したアール状の断面をもって連続するように形成されている。また、環流用カバー７の筒上端７ｄと周回内鍔部７ｂとの間の距離は筒状ケーシング１０の下部１０ａと主体部５に組み合わされた底部構成体６の下面６ｉとの距離よりもやや大きく、環流用カバー７の周回内鍔部７ｂの内面と底部構成体６の下面６ｉとの間には環流空間７ａの一部となる隙間が形成されるようになっている。
【００２５】
環流用カバー７の筒側部７ｃの内面であって、その上下方向略中程となる位置には、係合爪７ｆが形成されている。図示の例では、主体部５に底部構成体６を取り付けた状態から、主体部５の吸引室８と底部構成体６を環流用カバー７内に納めるように環流用カバー７を組み合わせる操作を行うと、係合爪７ｆが底部構成体６の側部６ｃに及びこれに連なる吸引室８の側部８ａに突き当たって環流用カバー７側がやや弾性変形すると共に、環流用カバー７の筒上端７ｄが筒状ケーシング１０の下部１０ａに突き当たるようになる位置まで組み合わせ操作がされると、環流用カバー７が弾性復帰して係合爪７ｆが前記排気口８ｄに入り込み、これにより、主体部５側に取り外し可能に環流用カバー７が取り付けられるようになっている。そして、この取り付け状態において、前記ファン４の回転中心を巡る各位置において、前記環流用カバー７と吸引室８の側部８ａ及び底部構成体６の側部６ｃ、さらには、前記周回内鍔部７ｂと前記底部構成体６の下面６ｉとの間に、前記環流空間７ａが形成されるようになっている。
【００２６】
クリーナ１の稼働時には、下側吸引口６ｂを一次側とし、上側吸引口８ｃと吸引室８を通じて、排気口８ｄを二次側としたエアの流れが形成されることとなる。それと共に、排気口８ｄから送り出されたエアの大部分は前記環流空間７ａを通じて再び前記下側吸引口６ｂより吸引され循環されるようになる。この結果、クリーナ１の稼働時に、この稼働に起因したエアの吹き出しを、クリーナ１の周囲に生じさせることがない。すなわち、この実施の形態にかかるクリーナ１にあっては、その稼働時に、クリーナ１の側方のみならず上方にも下方にもこの稼働に起因したエアの吹き出しを生じさせることがない。
【００２７】
貯留空間６ａ内にたまった清掃対象物は、前記排気口８ｄから係合爪７ｆを抜け出させるに足る力で環流用カバー７を下方に引っ張りこれを取り外した後、底部構成体６の係合爪７ｆが吸引室８の側部８ａに形成された係合溝８ｊの他方の端末８ｍに至る位置まで底部構成体６を取り付け時と逆向きに回して係合溝８ｊから係合爪７ｆを抜き出すことで、主体部５側から底部構成体６を取り外して外部に捨てることができる。
【００２８】
なお、当然のことながら、本発明は以上に説明した実施態様に限定されるものではなく、本発明の目的を達成し得るすべての実施態様を含むものである。
【符号の説明】
【００２９】
４  ファン
６  底部構成体
６ａ  貯留空間
６ｂ  下側吸引口
６ｃ  側部
７  環流用カバー
７ａ  環流空間
８  吸引室
８ａ  側部
８ｃ  上側吸引口
８ｄ  排気口
８ｅ  落下口
【図１】
2019198387.tif 000003
【図２】
2019198387.tif 000004
【図３】
2019198387.tif 000005
【図４】
2019198387.tif 000006